(57)【要約】【課題】  撮像装置の金属外装において、外部インターフェイスコネクタ部のゴミの侵入防止や安全のために保護し、且つ見栄えが良い外観を可能にする。【解決手段】  撮像装置の外観を形成する金属の外装部材と前記外装部が撮像装置の本体に対しスライドして所定の位置にあることを検知し、検知結果により撮影許可状態では三脚取り付けようの三脚座が露出し、外部機器との通信モードでは前記開口穴から外部インターフェイスコネクタが露出する開口穴を外装に設ける。【選択図】  図３
2009139563.tif 000002
【特許請求の範囲】
【請求項１】
撮像装置の外観を形成する金属の外装部材と前記外装部が撮像装置の本体に対しスライドし、所定の位置にあることを検知する検知手段と、検知結果により撮像装置のモードを切り替えるモード切り替え手段を有する撮像装置において、
前記外装部材は、撮像光軸と異なる方向に絞り成型され該方向に平行で互いに対向する第１の構成面と第２の構成面を具備し、該第１の構成面は撮影のための撮影光学部を覆うことが可能であり、該第1と該第２の構成面に直交する第３の構成面には開口穴を有し、撮影許可状態では三脚取付用の三脚座が露出し、外部機器との通信モードでは前記開口穴から外部インターフェイスコネクタが露出することを特徴とする撮像装置。
【請求項２】
撮像装置の外観を形成する金属の外装部材と前記外装部が撮像装置の本体に対しスライドし、所定の位置にあることを検知する検知手段と、検知結果により撮像装置のモードを切り替えるモード切り替え手段を有する撮像装置において、
前記外装部材は、撮像光軸と異なる方向に絞り成型され該方向に平行で互いに対向する第１の構成面と第２の構成面を具備し、該第１の構成面は撮影のための撮影光学部を覆うことが可能であり、該第1と該第２の構成面に直交する第３の構成面には開口穴を有し、撮影許可状態では三脚取り付けようの三脚座が露出し、外部機器との通信モードでは前記開口穴から外部インターフェイスコネクタが突出することを特徴とする撮像装置。
【請求項３】
前記外部機器との通信モードでは該第１の構成面は撮影のための撮影光学部を覆い、且つ、外部表示器の少なくとも一部が外装部の前記第２の構成面に覆われることを特徴とする請求項１又は請求項２に記載の撮像装置。
【請求項４】
前記外部インターフェイスコネクタとモード切り替え検知手段が同一のプリント配線板に設けられ、且つ三脚座に取り付けられ、保持されていることを特徴とする請求項１又は請求項２に記載の撮像装置。
【発明の詳細な説明】
【技術分野】
【０００１】
本発明は、撮像装置の外装、特に絞り成型による金属外装と外装に覆われる外部インターフェイスコネクタを具備する撮像装置に関するものである。
【背景技術】
【０００２】
従来、撮像装置では、撮影レンズユニット、ストロボユニットや電池収納ユニットなどの複数ユニットにより構成される撮像本体部と該撮像本体部を保護する外装により構成されている。
【０００３】
近年の撮像装置の小型化に伴ない、外装においては薄肉の金属を絞り成型したものが採用されている。撮像装置の外装は撮像本体部への組み付け作業の為に複数に分割されているため、分割部を合わせるために外装の内側に補助部材を設ける必要がある。また、組み付け後に分割部に微小な段差が生じたり、分割位置がユーザーが触れる操作部材の周辺部にある場合には外装単独で十分な剛性を確保し難いといった問題がある。
【０００４】
上記の問題に対し、下記特許文献１で提案されている絞り成型法を用いて、薄肉でありながらも一体化した金属外装が考えられる。
【０００５】
また、従来、撮像装置と外部機器の接続の為に撮像装置に設けられた外部インターフェイスコネクタはゴミの侵入や安全のために保護する保護カバーが設けられている。この保護カバーは、撮像装置の外装とは異なる材質の部材を用いられていたが、外装とのマッチングがあわず見栄えが良いとは言い難かった。
【特許文献１】特開平８−５５６１３号公報
【発明の開示】
【発明が解決しようとする課題】
【０００６】
近年、携帯電子機器は持ち運び際の利便性から小型化、薄型化しデザイン性に優れたものが多くなっている。しかしながら、外装に取り付けられる部材すべてにおいて金属外装と一体感ある構成することは難しかった。
【課題を解決するための手段】
【０００７】
本発明は上記の課題を解決するものであり、本発明に関る絞り成型による金属外装と外装に覆われる外部インターフェイスコネクタを具備する撮像装置の構造によれば、撮像装置の外観を形成する金属の外装部材と前記外装部が撮像装置の本体に対しスライドし所定の位置にあることを検知し、検知結果により撮影許可状態では三脚取り付けようの三脚座が露出し、外部機器との通信モードでは前記開口穴から外部インターフェイスコネクタが露出する開口穴を外装に設けることで、金属外装において外部インターフェイスコネクタ部のゴミの侵入や安全のために保護し、且つ見栄えが良い外観を可能にする。
【発明の効果】
【０００８】
請求項１に記載の発明は、撮像装置の外観を形成する金属の外装部材と前記外装部が撮像装置の本体に対しスライドし所定の位置にあることを検知し、撮像装置のモードを切り替える撮像装置において、前記外装部材は、撮像光軸と異なる方向に絞り成型され該方向に平行で互いに対向する第１の構成面と第２の構成面を具備し、該第１の構成面は撮影のための撮影光学部を覆うことが可能であり、該第1と該第２の構成面に直交する第３の構成面には開口穴を有し、撮影許可状態では三脚取り付けようの三脚座が露出し、外部機器との通信モードでは前記開口穴から外部インターフェイスコネクタが露出することにより、撮影時には外部インターフェイスを外装カバーで覆うことにより外部インターフェイスコネクタ部のゴミの侵入や安全のために保護し、且つ見栄えが良い外観を可能にする。
【０００９】
請求項２に記載の発明は、撮像装置の外観を形成する金属の外装部材と前記外装部が撮像装置の本体に対しスライドし所定の位置にあることを検知し、撮像装置のモードを切り替える撮像装置において、前記外装部材は、撮像光軸と異なる方向に絞り成型され該方向に平行で互いに対向する第１の構成面と第２の構成面を具備し、該第１の構成面は撮影のための撮影光学部を覆うことが可能であり、該第1と該第２の構成面に直交する第３の構成面には開口穴を有し、撮影許可状態では三脚取り付けようの三脚座が露出し、外部機器との通信モードでは前記開口穴から外部インターフェイスコネクタが突出することにより、外部接続機器との接続が容易で且つ、撮影時には外部インターフェイスを外装カバーで覆うことにより外部インターフェイスコネクタ部のゴミの侵入や安全のために保護し、且つ見栄えが良い外観を可能にする。
【００１０】
請求項３に記載の発明は、請求項１、又は請求項２に記載の撮像装置において、外部機器との通信モードでは該第１の構成面は撮影のための撮影光学部を覆い、且つ、外部表示器の少なくとも一部が外装部の前記第２の構成面に覆うことにより、撮影光学部と外部機器と通信している状態を表示するために必要な部分以外を保護することを可能にする。
【００１１】
請求項４に記載の発明は、請求項１、又は請求項２に記載の撮像装置において外部インターフェイスコネクタとモード切り替え検知手段が同一のプリント配線板に設けられ、且つ三脚座に取り付けられ、保持されることにより、省スペースな配置で、本発明の課題を解決する。
【発明を実施するための最良の形態】
【００１２】
次に、本発明の詳細を実施例の記述に従って説明する。
【実施例１】
【００１３】
以下、本発明に関する実施例について詳細に説明する。
【００１４】
図１は本発明に係る撮像装置の斜視図であり、撮影時に撮影を許可するレリーズボタン４などを有した撮像本体２は、撮像光軸と異なる方向に絞り成型され、撮影のための光学部を覆う第１の構成面３を有する外装部材１に格納されている。外装部材１は絞り方向にスライド可能で、所定の位置にあることを検知する不図示の検知手段と、検知結果により撮像装置のモードを切り替えるモード切り替え手段がある。
【００１５】
図２は図１における外装部材１の第１の構成面に直交する第３の構成面を示す構成図であり、外部機器との接続待機状態を示している。第２の構成面５は第３の構成面６に直交しており、第３の構成面６には開口部９が設けられている。開口部９からは外部インターフェイス７が露出している。外部インターフェイス７はＵＳＢなどの一般的なもに限らない。
【００１６】
図４は第１の実施例における、カメラ撮影時の状態図である。外装部材１はスライドされ、最も外側に位置し、外部機器との通信状態では保護されていた撮影レンズ鏡筒１１は撮影状態になっており、レリーズボタン４を押すことにより、撮影者が撮影を行う。
【００１７】
図５は図４における第３の構成面を示す構成図であり、第３の構成面６に設けられた開口部９からは撮像本体２に保持される三脚穴が露出しており、必要に応じて撮影者が三脚などを取り付けることが可能である。このときには外装部材１の第３の構成面６により外部インターフェイスは覆われ、保護されている。
【００１８】
図６は本発明の第２の実施例における、外部機器との接続状態図であり、第３の構成面６に設けられた開口部９からは外部インターフェイス１２が突出しており、外部機器と接続待機状態である。外部機器との通信モード以外では、撮像本体２に格納され、外装部材１の第３の構成面６により外部インターフェイスは覆われ、保護されている。
【００１９】
図７は本発明の実施例における三脚座の斜視図であり三脚座１７には外部インターフェイスコネクタが実装され、外装部が撮像装置の本体に対しスライドし撮像装置のモードを切り替えるモード切り替えブラシパターン１５が設けられた、プリント配線板１３が固定ビス１６で固定されている。モード切替ブラシ１４は外装部材１に取り付けられ、ブラシ１４が外装部材１と共にスライドに位置を検出しモードを切り替える。三脚座１７は本体に保持されている。
【００２０】
図８は図７における三脚穴側から見た斜視図であり、三脚座１７には三脚ねじ穴１８があり三脚を取り付け可能である。外部インターフェイスコネクタ７はプリント配線板１３に実装され、且つ三脚座１７に保持されている。
【００２１】
図９は図７における三脚穴側から見た図であり、三脚ねじ穴の中心と外部インターフェイスコネクタの中心距離は外装部材１のスライド量と同等であり、ブラシパターン１５もこのスライド量にあわせて設ければよい。
【図面の簡単な説明】
【００２２】
【図１】本発明に係る撮像装置の斜視図。
【図２】図１における第３の構成面を示す構成図。
【図３】第１の実施例における、外部機器との接続状態図。
【図４】第１の実施例における、カメラ撮影時の状態図。
【図５】図４における第３の構成面を示す構成図。
【図６】本発明の第２の実施例における、外部機器との接続状態図。
【図７】本発明の実施例における三脚座の斜視図。
【図８】図７における三脚穴側から見た斜視図。
【図９】図７における三脚穴側から見た図。
【符号の説明】
【００２３】
１  外装部材
２  撮像本体２
３  第１の構成面
４  レリーズボタン
５  第２の構成面
６  第３の構成面
７  外部インターフェイスコネクタ
８  外部表示器
９  第３の構成面の開口穴
１０  インターフェイスケーブル
１１  撮影レンズ鏡筒
１２  外部インターフェイスコネクタ
１３  プリント配線板
１４  モード切替ブラシ
１５  ブラシパターン
１６  固定ビス
１７  三脚座
１８  三脚ねじ穴
【図１】
2009139563.tif 000003
【図２】
2009139563.tif 000004
【図３】
2009139563.tif 000005
【図４】
2009139563.tif 000006
【図５】
2009139563.tif 000007
【図６】
2009139563.tif 000008
【図７】
2009139563.tif 000009
【図８】
2009139563.tif 000010
【図９】
2009139563.tif 000011